(57)【要約】【課題】本発明は、簡単な構造で扉体が容易に閉じるとのできる電気機器収納用箱体の扉体の施錠構造を提供することを目的としている。【解決手段】本発明に係る電気機器収納用箱体の扉体施錠構造は、扉体の前面にはハンドル４が設けられ、ハンドル４の裏面にはハンドル４の動作に連動するベロ押え６によりベロ５が取り付けられ、ベロ５はスライド移動により動作すると共に、ベロ５はばね８により付勢されており、ハンドル４から手を離したときにベロ５と共にハンドル４が元の位置に戻り、また、扉体を閉じるときはハンドル４を手で持って操作することなくベロ５が箱体本体に係止し、扉体が仮止め可能であることを特徴とする。【選択図】図２
2006241875.tif 000002
【特許請求の範囲】
【請求項１】
前面に開口を有する箱体本体に各種電気機器等を収納し、前記開口を回動動作により開閉可能である扉体で施蓋する電気機器収納用箱体の扉体の施錠構造であって、前記扉体の前面にはハンドルが設けられ、該ハンドルの裏面にはハンドルの動作に連動するベロ押えによりベロが取り付けられ、該ベロはスライド移動により動作すると共に、前記ベロはばねにより付勢されており、前記ハンドルから手を離したときに前記ベロと共に前記ハンドルが元の位置に戻り、また、前記扉体を閉じるときは前記ハンドルを手で持って操作することなく前記ベロが前記箱体本体に係止し、前記扉体が仮止め可能であることを特徴とする電気機器収納用箱体の扉体の施錠構造。
【請求項２】
前記電気機器収納用箱体の扉体の施錠構造であって、前記ベロのスライド構造は、前記ベロを取り付けるベロ押えを略楕円形とし、ベロにも略楕円形の切り欠きを設け、該切り欠きの中に前記ベロ押えを組み込み、前記ベロ押えの長径が前記切り欠きの短径に対向したときに前記ベロは固定されると共に、前記ベロ押えの長径が前記切り欠きの長径に対向したときに前記ベロは前記切り欠きの範囲内においてスライド移動可能であることを特徴とする請求項１に記載の電気機器収納用箱体の扉体の施錠構造。
【発明の詳細な説明】
【技術分野】
【０００１】
本発明は、前面に開口を有する箱体本体に各種電気機器等を収納し、開口を回動動作により開閉可能である扉体で施蓋する電気機器収納用箱体の扉体の施錠構造に関するものである。
【背景技術】
【０００２】
従来、電気機器収納用箱体の扉体のハンドルは、静止の状態のとき、ベロは、横方向に突出している。扉体を閉じるときには、ハンドルを回転し、ベロを上下どちらかに動かし電気機器収納用箱体の箱体本体に当たらないようにする。また、扉体が閉じた状態でハンドルを元の位置に戻してベロを箱体本体に引っ掛けて、扉体を箱体本体に係止させていた。
【非特許文献１】２００３カワムラカタログ電設資材編ＮＯ．３４  平成１５年５月１日改訂
【発明の開示】
【発明が解決しようとする課題】
【０００３】
しかしながら、上記従来の技術によればハンドルを動作させないとベロが動作せず扉体はベロが箱体本体に引っ掛かってしまうので、閉じることができず、扉体の開閉が手間がかかるので、扉体を開放したままにすることが多く、その場合、雨水や異物が進入したり、作業者が誤って危険な箇所に触れてしまったり、扉体が強風にあおられ変形または破損する虞があった。
【課題を解決するための手段】
【０００４】
そこで本発明は、簡単な構造で扉体が容易に閉じるとのできる電気機器収納用箱体の扉体の施錠構造を提供することを目的とし、その構造は、扉体の前面にはハンドルが設けられ、ハンドルの裏面にはハンドルの動作に連動するベロ押えによりベロが取り付けられ、ベロはスライド移動により動作すると共に、ベロはばねにより付勢されており、ハンドルから手を離したときにベロと共にハンドルが元の位置に戻り、また、扉体を閉じるときはハンドルを手で持って操作することなくベロが箱体本体に係止し、扉体が仮止め可能であることを特徴とする。
【０００５】
また、ベロのスライド構造は、ベロを取り付けるベロ押えを略楕円形とし、ベロにも略楕円形の切り欠きを設け、切り欠きの中にベロ押えを組み込み、ベロ押えの長径が切り欠きの短径に対向したときにベロは固定されると共に、ベロ押えの長径が切り欠きの長径に対向したときにベロは切り欠きの範囲内においてスライド移動可能であることを特徴とする。
【発明の効果】
【０００６】
本発明に係る電気機器収納用箱体の扉体の施錠構造は、扉体の前面にはハンドルが設けられ、ハンドルの裏面にはハンドルの動作に連動するベロ押えによりベロが取り付けられ、ベロはスライド移動により動作すると共に、ベロはばねにより付勢されており、ハンドルから手を離したときにベロと共にハンドルが元の位置に戻り、また、扉体を閉じるときはハンドルを手で持って操作することなくベロが箱体本体に係止し、扉体が仮止め可能であるため、ハンドルを操作することなくベロは箱体本体に当たったときにスライド移動して、箱体本体に係止するので、扉体が開いた状態で放置されることが減り、内部機器に誤って触れてしまい感電事故を引き起こすことがなくなり安全である。また、扉体が開いた状態で放置されなくなるので、特に屋外で用いられる場合に、雨水の浸入が防止でき、内部機器に悪影響が及ぼされなくなる。また、扉体が閉じていないと強風にあおられてどこかに当たり、変形や破損するということもなくなる。
【０００７】
また、ベロのスライド構造は、ベロを取り付けるベロ押えを略楕円形とし、ベロにも略楕円形の切り欠きを設け、切り欠きの中にベロ押えを組み込み、ベロ押えの長径が切り欠きの短径に対向したときにベロは固定されると共に、ベロ押えの長径が切り欠きの長径に対向したときにベロは切り欠きの範囲内においてスライド移動可能であるため、ハンドルを操作することなくベロは箱体本体に当たったときにスライド移動して、箱体本体に係止するので、扉体が開いた状態で放置されることが減り、内部機器に誤って触れてしまい感電事故を引き起こすことがなくなり安全である。また、扉体が開いた状態で放置されなくなるので、特に屋外で用いられる場合に、雨水の浸入が防止でき、内部機器に悪影響が及ぼされなくなる。また、扉体が閉じていないと強風にあおられてどこかに当たり、変形や破損するということもなくなる。
【発明を実施するための最良の形態】
【０００８】
仮設盤等屋外で使用されることが多く扱いも雑であるような電気機器収納用箱体で、扉体を箱体本体に係止するためにハンドルを持って操作することなく扉体を閉じることができるようにするという目的をハンドルのベロをスライド移動させることにより実現した。
【実施例１】
【０００９】
本発明に係る電気機器収納用箱体の扉体施錠構造を図１〜図２の添付図面に基づいて説明する。
【００１０】
各種電気機器を収納するための電気機器収納用箱体１は、箱体本体２に電気機器を載置し、前面開口を扉体３で施蓋する。扉体３は箱体本体２に蝶着され、回動動作により開閉可能である。扉体３の表面にはハンドル４が設けられ、ハンドル４の裏面にはベロ５が取り付けられる。扉体３が閉じたとき、ベロ５が箱体本体２に係止することによって仮止めされる。
【００１１】
扉体３が閉じた状態のとき、ベロ５は外側に突出していて、箱体本体２に係止し、扉体３は箱体本体２に仮止めされた状態である。扉体３を開くときにはハンドル４を回転させベロ５を内側に移動させ、箱体本体２への係止を解除する。ベロ５にはばね８を取り付けて付勢しており、ハンドル４から手を離したときにベロ５は元の外側の位置に戻る構造である。
【００１２】
扉体３を閉じるときにはハンドル４を操作しなくても、ベロ５が箱体本体２に当たり内側に移動する。さらに扉体３を閉じ、扉体３が箱体本体２の開口を完全に閉鎖したときにベロ５の箱体本体２への干渉がなくなり、ベロ５がばね８により外側に移動し、箱体本体２内側に入り込んで扉体３を箱体本体２に仮止めする。
【実施例２】
【００１３】
ベロ５は扉体３に略楕円形のベロ押え６で押さえて取り付け、ベロ５にも略楕円形の切り欠き７を設ける。ベロ押え６はハンドル４の回動動作に連動して回転し、ベロ５に設けられた切り欠き７にベロ押え６の楕円形を同じ方向に合わせたときにベロ５はベロ５の切り欠き７の余裕分スライド移動する。ベロ押え６の長径をベロ５の切り欠き７の短径に対向したときベロ５は固定される。ベロ５にはばね８を取り付けて付勢し、動作の後、元の位置に戻るようにする。
【００１４】
扉体３を閉じるときにはハンドル４を操作しなくても、ベロ５が箱体本体２に当たり内側に移動する。さらに扉体３を閉じ、扉体３が箱体本体２に合ったときにベロ５の箱体本体２への干渉がなくなり、ベロ５に設けたばね８によりベロ５が外側に移動し、箱体本体２内側に入り込んで扉体３を箱体本体２に仮止めする。
【００１５】
最後にハンドル４を回転させることにより、ベロ押え６を連動させてベロ５に設けられている切り欠き７に嵌合させてベロ５を固定し扉体３を箱体本体２に施錠する。
【００１６】
本発明に係る電気機器収納用箱体の扉体施錠構造は上記形状に限定されるものではなく、ベロの形状は本発明の趣旨を逸脱しない範囲において適宜変更可能である。
【００１７】
また、ベロに付勢するためのばねの取り付け位置に関しても、本発明の趣旨を逸脱しない範囲において適宜変更可能である。
【産業上の利用可能性】
【００１８】
電気機器収納用箱体の扉体は、ベロを箱体本体に係止させることにより仮止めが可能であるが、ハンドルを動作させなくてもベロが移動し、扉体を箱体本体に係止させることができるため、扱いが雑になりがちな屋外で用いることの多い仮設盤に適用できる。
【図面の簡単な説明】
【００１９】
【図１】電気機器収納用箱体の説明図である。（実施例１、実施例２）
【図２】本発明に係る電気機器収納用箱体の扉体施錠構造を示した説明図である。（実施例１、実施例２）
【図３】本発明に係る電気機器収納用箱体の扉体施錠構造の動作を示した説明図である。（実施例１、実施例２）
【符号の説明】
【００２０】
１    電気機器収納用箱体
２    箱体
３    扉体
４    ハンドル
５    ベロ
６    ベロ押え
７    切り欠き
８    ばね
【図１】
2006241875.tif 000003
【図２】
2006241875.tif 000004
【図３】
2006241875.tif 000005